(57)【要約】【課題】砕石基礎面の浚渫質量を保証し、作業効率を向上させる。当該浚渫システムの構造は簡単であり、使用しやすく、浚渫効果に優れる。【解決手段】浚渫吸収ヘッドは浚渫パイプラインに接続され、浚渫パイプラインは動力部材に接続され、浚渫吸引ヘッドは少なくとも１つの畝面吸引口および少なくとも１つの畝溝吸引口を含み、全ての畝溝吸引口の開口は全ての畝面吸引口の開口より低い。昇降機構は浚渫吸引ヘッドに接続され、浚渫吸引ヘッドを砕石基礎面に対して昇降することに用いられる。移動機構は昇降機構に接続され、浚渫吸引ヘッドを砕石基礎面の浚渫範囲内を移動させることに用いられる。浚渫吸引ヘッドは畝面吸引口および畝溝吸引口を含み、砕石畝頂面の沈泥と２本の砕石畝の間の畝溝の沈泥を同時に吸引することができる。【選択図】図１
2019090303.tif 000002
【特許請求の範囲】
【請求項１】
浚渫吸引ヘッド（１１）、動力部材（１２）および浚渫パイプライン（１３）を含み、前記浚渫吸引ヘッド（１１）は前記浚渫パイプライン（１３）に接続され、前記浚渫パイプライン（１３）は前記動力部材（１２）に接続され、前記浚渫吸引ヘッド（１１）は少なくとも１つの畝面吸引口（１１１）および少なくとも１つの畝溝吸引口（１１２）を含み、全ての前記畝溝吸引口（１１２）の開口端部が全ての前記畝面吸引口（１１１）の開口端部より低い浚渫機構（１）と、
前記浚渫吸引ヘッド（１１）に接続され、前記浚渫吸引ヘッド（１１）を前記砕石基礎面（０１）に対して昇降させることに用いられる昇降機構（２）と、
前記昇降機構（２）に接続され、前記浚渫吸引ヘッド（１１）を前記砕石基礎面（０１）の浚渫範囲内で移動させることに用いられる移動機構（３）と、を含むことを特徴とする外海深部に先行敷設する砕石基礎面の浚渫システム。
【請求項２】
前記浚渫機構（１）がさらに浚渫トラス（１４）を含み、前記浚渫吸引ヘッド（１１）が前記浚渫トラス（１４）端部に接続され、前記浚渫トラス（１４）が前記昇降機構（２）に接続され、前記浚渫パイプライン（１３）が浚渫硬質パイプ（１３１）を含み、前記浚渫硬質パイプ（１３１）が前記浚渫トラス（１４）内部に位置し、前記浚渫硬質パイプ（１３１）の一端が水面の上に位置することを特徴とする請求項１に記載の外海深部に先行敷設する砕石基礎面の浚渫システム。
【請求項３】
前記動力部材（１２）が前記浚渫トラス（１４）端部に配置され、前記浚渫吸引ヘッド（１１）と同じ側であり、前記浚渫ヘッド（１１）が前記浚渫トラス（１４）端部に伸縮可能に接続され、前記浚渫パイプライン（１３）がさらに浚渫軟質パイプ（１３２）を含み、前記浚渫吸引ヘッド（１１）が前記浚渫軟質パイプ（１３２）に接続され、前記浚渫軟質パイプ（１３２）が前記動力部材（１２）に接続され、前記動力部材（１２）が前記浚渫硬質パイプ（１３１）に接続されていることを特徴とする請求項２に記載の外海深部に先行敷設する砕石基礎面の浚渫システム。
【請求項４】
さらに第１ウインチ（４）を含み、前記第１ウインチ（４）が泥排出軟質パイプ（４１）に接続され、前記泥排出軟質パイプ（４１）が前記浚渫硬質パイプ（１３１）に接続され、前記第１ウインチ（４）が回転して前記泥排出軟質パイプ（４１）を収納および放出することを特徴とする請求項２に記載の外海深部に先行敷設する砕石基礎面の浚渫システム。
【請求項５】
前記昇降機構（２）が複数の歯車および各歯車に対応するラックを含み、各ラックは前記浚渫トラス（１４）に接続され、前記浚渫トラス（１４）のフレーム本体に沿って設置されていることを特徴とする請求項２に記載の外海深部に先行敷設する砕石基礎面の浚渫システム。
【請求項６】
各畝溝吸引口（１１２）と対応する前記畝面吸引口（１１１）の間の距離が調整できることを特徴とする請求項１に記載の外海深部に先行敷設する砕石基礎面の浚渫システム。
【請求項７】
前記移動機構（３）が第１横断部材（３１）および第２横断部材（３２）を含み、前記第１横断部材（３１）および前記第２横断部材（３２）が水平面内で直交に設置され、前記第２横断部材（３２）が前記第１横断部材（３１）上に配置され、前記昇降機構（２）が前記第２横断部材（３２）上に配置されていることを特徴とする請求項１から６のいずれか１項に記載の外海深部に先行敷設する砕石基礎面の浚渫システム。
【請求項８】
船体（６）を含み、前記船体（６）上に円形穴が設けられ、前記船体（６）上に請求項１から７のいずれか１項に記載の外海深部に先行敷設する砕石基礎面の浚渫システムが設置され、前記浚渫吸引ヘッド（１１）が前記円形穴の範囲内を移動することを特徴とする浚渫船。
【請求項９】
前記船体（６）上に上昇機構が設置され、前記上昇機構が作業区域において前記船体（６）全体を上昇させて水面から離脱させることに用いられることを特徴とする請求項８に記載の浚渫船。
【請求項１０】
前記船体（６）上に捨石均し機構が設置され、前記捨石均し機構は前記円形穴の範囲内で動作し、前記捨石均し機構が砕石基礎（０１）面を敷設することに用いられることを特徴とする請求項８から９のいずれか１項に記載の浚渫船。
【発明の詳細な説明】
【技術分野】
【０００１】
本発明は水中工事の分野に関し、特に外海深部に先行敷設する砕石基礎面の浚渫システムおよび浚渫船に関する。
【背景技術】
【０００２】
海底の埋設トンネルの施工は、複数の沈埋函を逐一海底の砕石基礎面上に配置するが、海底の沈泥が砕石基礎面に堆積している場合には砕石基礎面の応力特性が変わり、その基礎構造の力伝達効果に影響を及ぼし、沈埋函が砕石基礎面に効果的に接触できなくなってしまうことがある。そのため、沈埋函を設置する場合には、沈埋函が沈泥上に配置されることで沈埋函が異常に沈降し、隣接する沈埋函と突き合わせることができなくなることを防ぐために、設置位置の砕石基礎面に対して浚渫作業を行う必要がある。
【０００３】
海底の砕石基礎面を高効率に敷設するために、従来の機械作業船による捨石投入作業は、捨石パイプを水底に延ばして面区域として、一方では捨石パイプを移動させて一方では捨石を行い、敷設がＺ字形の砕石畝基礎面を形成する。しかし、隣接する２本の砕石畝の間には畝溝があり、従来の浚渫システムは畝溝の沈泥を効率よく除去することができない。
【発明の概要】
【発明が解決しようとする課題】
【０００４】
本発明の目的は、従来技術に存在する従来の機械作業船の捨石と敷設がＺ字形の砕石畝基礎面を形成し、隣接する２本の砕石畝の間には畝溝があり、従来の浚渫システムが畝溝の沈泥を効率よく除去することができないという上記欠点を克服することであり、外海深部に先行敷設する砕石基礎面の浚渫システムおよび浚渫船を提供することである。
【課題を解決するための手段】
【０００５】
上記の目的を実現するために、本発明は以下の技術的解決手段を提供する。外海深部に先行敷設する砕石基礎面の浚渫システムであり、
浚渫吸引ヘッド、動力部材および浚渫パイプラインを含み、前記浚渫吸引ヘッドは前記浚渫パイプラインに接続され、前記浚渫パイプラインは前記動力部材に接続され、前記浚渫吸引ヘッドは少なくとも１つの畝面吸引口および少なくとも１つの畝溝吸引口を含み、全ての前記畝溝吸引口の開口端部が全ての前記畝面吸引口の開口端部より低く、各畝面吸引口は砕石基礎面の各砕石畝頂面の沈泥を吸引することに用いられる浚渫機構と、
前記浚渫吸引ヘッドに接続され、前記浚渫吸引ヘッドを前記砕石基礎面まで昇降することに用いられる昇降機構と、
前記昇降機構に接続され、前記浚渫吸引ヘッドを前記砕石基礎面の浚渫範囲内で移動させることに用いられる移動機構と、
前記浚渫機構、前記浚渫機構及び前記移動機構の作業を制御することに用いられる制御機構と、を含む。
【０００６】
本発明の前記外海深部に先行敷設する砕石基礎面の浚渫システムを採用することで、前記浚渫吸引ヘッドは前記畝面吸引口および前記畝溝吸引口を含み、畝面吸引口がＺ字形に沿って移動する場合、当該畝溝吸引口は相互に交差する２つの砕石畝が形成する砕石畝基礎面ルートの間の畝溝位置にあり、砕石畝頂面の沈泥と、２つの砕石畝の間の畝溝の沈泥を同時に吸引することができ、前記砕石基礎面の浚渫品質を保証し、作業効率を向上させる。当該外海深部に先行敷設する砕石基礎面の浚渫システムの構造は簡単であり、使用しやすく、浚渫効果に優れる。好ましくは、各畝面吸引口と各畝溝吸引口は単独で開閉する。
【０００７】
好ましくは、各畝面吸引口は２つの前記畝溝吸引面に対応して設置され、２つの前記畝溝吸引口は前記畝面吸引口の両側に位置し、前記畝面吸引口は砕石畝頂面に対応し、２つの畝溝吸引口はそれぞれ各砕石畝の両側の２つの畝溝に対応する。
【０００８】
このような構成を採用することにより、前記浚渫吸引ヘッドは砕石畝方向に沿って移動し、１回の移動で１本の砕石畝および両側の畝溝の沈泥を除去することができ、作業効率と品質が向上する。
【０００９】
好ましくは、前記浚渫機構はさらに浚渫トラスを含み、前記浚渫吸引ヘッドは前記浚渫トラス端部に接続され、前記浚渫トラスは前記昇降機構に接続され、前記浚渫パイプラインは浚渫硬質パイプを含み、前記浚渫硬質パイプは前記浚渫トラス内部に位置し、前記浚渫硬質パイプの一端は水面の上に位置し、前記浚渫トラスは前記浚渫パイプラインを支持することに用いられる。
【００１０】
好ましくは前記浚渫トラスは三角トラスである。
【００１１】
好ましくは、前記動力部材は前記浚渫トラス端部に配置され、前記浚渫吸引ヘッドと同じ側であり、前記浚渫ヘッドは前記浚渫トラス端部に伸縮可能に接続され、前記浚渫パイプラインはさらに浚渫軟質パイプを含み、前記浚渫吸引ヘッドは前記浚渫軟質パイプに接続され、前記浚渫軟質パイプは前記動力部材に接続され、前記動力部材は前記浚渫硬質パイプに接続されている。
【００１２】
このような構成を採用することにより、前記浚渫吸引ヘッドは前記浚渫トラス端部に相対的に伸縮し、勾配のある前記砕石基礎面の浚渫に適用され、前記浚渫機構全体が新たに制御精度を上げることを回避し、前記浚渫機構が前記砕石基礎面に衝突することを防止する。
【００１３】
好ましくは、さらに第１ウインチを含み、前記第１ウインチは泥排出軟質パイプを含み、前記泥排出軟質パイプは前記浚渫硬質管に接続され、前記第１ウインチは回転して前記泥排出軟質パイプを収納および放出し、前記浚渫硬質パイプが記述する移動機構の運動に従うことを満たし、沈泥は前記浚渫吸引ヘッド、前記浚渫パイプラインおよび前記泥排出軟質パイプを前記第１ウインチまで排出する。
【００１４】
好ましくは、前記第１ウインチの外には泥排出パイプラインが接続され、前記泥排出パイプラインは前記第１ウインチのところの沈泥を少なくとも０．５キロメートル外に離れた水域に排出する。
【００１５】
好ましくは、前記昇降機構は複数の歯車および各歯車に対応するラックを含み、各ラックは前記浚渫トラスに接続され、前記浚渫トラスフレーム本体に沿って設置される。
【００１６】
好ましくは、各畝溝吸引口と対応する前記畝面吸引口との距離は調整可能である。
【００１７】
このような構成を採用することで、前記畝溝吸引口と前記畝面吸引口との距離を調整することができ、複数の畝面幅の砕石畝の浚渫作業に適する。
【００１８】
好ましくは、各畝面吸引口の両側にはそれぞれ１つの前記畝溝吸引口が設けられている。
【００１９】
このような構成を採用することにより、各畝面吸引口の両側の前記畝溝吸引口は同時に１本の砕石畝の両側の畝溝に対して沈泥を除去し、前記畝面吸引口が次の砕石畝上の沈泥を除去する場合、そのうちの１つの前記畝溝吸引口はさらに１つ前の畝溝を再度吸引し、浚渫効果は非常に優れる。
【００２０】
好ましくは、前記動力部材はオイルパイプ、第２ウインチおよび少なくとも１つの浚渫ポンプを含み、各浚渫ポンプは前記浚渫パイプラインに接続され、全ての前記浚渫ポンプは前記オイルパイプに接続され、前記オイルパイプは前記第２ウインチに接続され、前記第２ウインチは回転して前記オイルパイプを収納および放出する。
【００２１】
好ましくは、前記浚渫機構はさらに噴水部材を含み、前記噴水部材の開口は前記浚渫吸引ヘッドに設けられている。
【００２２】
このような構成を採用することにより、前記噴水部材は水流を噴射して前記浚渫吸引ヘッド付近の前記砕石基礎面上の沈泥を攪乱することに用いられ、浚渫効果を高める。
【００２３】
好ましくは、前記移動機構は第１横断部材および第２横断部材を含み、前記第１横断部材および第２横断部材は水平面内で直交に設置され、前記第２横断部材は前記第１横断部材上に配置され、つまり前記第２横断部材は前記第１横断部材上を移動し、前記昇降機構は前記第２横断部材上に配置され、つまり前記昇降機構は前記第２横断部材上を移動する。
【００２４】
好ましくは、前記制御機構は、ＧＰＳ−ＲＴＫ、ソナー、傾斜測定器、自動追跡、電気−液体伝動制御装置、及び、電気位置制御装置を含む。
【００２５】
本発明はさらに浚渫船を提供し、船体を含み、前記船体上に円形穴が設けられ、前記船体上には上記のいずれか１つに記載の外海深部に先行敷設する砕石基礎面の浚渫システムが設置され、前記浚渫吸引ヘッドは前記円形穴の範囲内を移動する。
【００２６】
本発明の前記専用船を採用する場合、前記浚渫吸収ヘッドは前記畝面吸引口および前記畝溝吸引口を含み、砕石畝頂面の沈泥および２本の砕石畝の間の畝溝の沈泥を同時に吸引することができ、前記砕石基礎面の浚渫品質を保証し、作業効率を向上させる。当該浚渫船構造は簡単であり、使用しやすく、浚渫効果に優れる。
【００２７】
好ましくは、前記船体上に上昇機構が設置され、前記上昇機構は作業区域において前記船体全体を上昇させて水面から離脱させることに用いられ、水流の変動が当該浚渫船の作業に影響を及ぼすことを防止する。
【００２８】
好ましくは、前記船体上に捨石均し機構が設置され、前記捨石均し機構は前記円形穴の範囲内で動作し、前記捨石均し機構は砕石基礎面を敷設することに用いられる。
【発明の効果】
【００２９】
上記に述べられたことを総合すると、上記の技術的解決手段を採用することにより、本発明の有益な効果は以下のとおりである。
【００３０】
１、本発明の前記外海深部に先行敷設する砕石基礎面の浚渫システムを運用することで、前記浚渫吸引ヘッドは前記畝面吸引口および前記畝溝吸引口を含み、畝面吸引口がＺ字形に沿って移動する場合、当該畝溝吸引口は直交に２つの砕石畝が形成する砕石畝基礎面ルートの間の畝溝位置にあり、砕石畝頂面の沈泥と２本の砕石畝の間の畝溝の沈泥を同時に吸引することができ、前記砕石基礎面の浚渫品質を保証し、作業効率を向上させる、当該外海深部に先行敷設する砕石基礎面の浚渫システムは簡単であり、使用しやすく、浚渫効果に優れる。
【００３１】
２、本発明の前記外海深部に先行敷設する砕石基礎面の浚渫システムを運用することで、各畝面吸引口は２つの前記畝溝吸引口に対応して設けられ、２つの前記畝溝吸引口は前記畝面吸引口の両側に位置し、前記畝面吸引口は砕石畝頂面に対応し、２つの畝溝吸引口はそれぞれ各砕石畝両側の２本の畝溝に対応する。このような構成を採用することにより、前記浚渫吸引ヘッドは砕石畝方向に沿って移動し、１回の移動で１本の砕石畝と両側の畝溝の沈泥を除去することができ、作業効率と作業品質を向上させる。
【００３２】
３、本発明の前記外海深部に先行敷設する砕石基礎面の浚渫システムを運用することで、前記浚渫吸引ヘッドは前記浚渫トラス端部に相対的に伸縮し、傾斜を有する前記砕石基礎面の浚渫に適用され、前記浚渫機構全体が新たな制御精度を向上させることを回避し、前記浚渫機構が前記砕石基礎面に衝突することを回避する。
【００３３】
４、本発明の前記外海深部に先行敷設する砕石基礎面の浚渫システムを運用することで、各畝溝吸引口と対応する前記畝面吸引口との距離を調整することができる。このような構成を採用することで、前記畝溝吸引口と前記畝面吸引口との間の距離を調節することができ、複数の畝面の幅の砕石畝の浚渫作業に適応することができる。
【００３４】
５、本発明の前記外海深部に先行敷設する砕石基礎面の浚渫システムを運用することで、各畝面吸引口の両側にはそれぞれ１つの前記畝溝吸引口が設けられる。このような構成を採用することにより、前記畝面吸引口両側の前記畝溝吸引口は同時に１本の砕石畝両側の畝溝浚渫に対して、前記畝面吸引口が次の砕石畝上の沈泥を除去する場合、そのうちの１つの前記畝溝吸引口はさらに１つ前の畝溝を再度吸引し、浚渫効果は非常に優れる。
【００３５】
６、本発明の前記外海深部に先行敷設する砕石基礎面の浚渫システムを運用することで、前記浚渫機構はさらに噴水部材を含み、前記噴水部材の開口部は前記浚渫吸引ヘッドに設けられる。このような構成を採用することにより、前記噴水部材は水流を噴射して前記浚渫吸引ヘッド付近の前記砕石基礎面上の沈泥を攪乱することに用いられ、浚渫効果を高める。
【００３６】
７、本発明の前記浚渫船を運用することで、前記浚渫吸引ヘッドは前記畝面吸引口および前記畝溝吸引口を含み、砕石畝頂面の沈泥および２本の砕石畝の間の畝溝の沈泥を同時に吸引することができ、前記砕石基礎面の浚渫品質を保証し、作業効率を向上させる。当該浚渫船の構造は簡単であり、使用しやすく、浚渫効果に優れる。
【図面の簡単な説明】
【００３７】
【図１】本発明に記述される外海深部に先行敷設する砕石基礎面の浚渫システムおよび浚渫船の構造概略図である。
【図２】浚渫吸引ヘッドの構造概略図である。
【発明を実施するための形態】
【００３８】
以下、実験例及び具体的な実施形態と併せて本発明について詳細に説明する。しかしながら、本発明の上記の主題の範囲は、以下の実施形態に限定されるものではなく、本発明の内容に基づいて実施される全ての技術は、本発明の範囲内に含まれる。
【００３９】
＜実施形態１＞
図１−２が示すように、本発明に述べられる外海深部に先行敷設する砕石基礎面の浚渫システムは、浚渫吸引ヘッド１１、動力部材１２および浚渫パイプライン１３を含み、前記浚渫吸引ヘッド１１は前記浚渫パイプライン１３に接続され、前記浚渫パイプライン１３は前記動力部材１２に接続され、前記浚渫吸引ヘッド１１は少なくとも１つの畝面吸引口１１１および少なくとも１つの畝溝吸引口１１２を含み、全ての前記畝溝吸引口１１２の開口端部が全ての前記畝面吸引口１１１の開口端部より低く、各畝面吸引口１１１は砕石基礎面０１の各砕石畝頂面の沈泥を吸引することに用いられ、各畝溝吸引口１１２は前記砕石基礎面０１の隣接する２本の砕石畝の間の畝溝の沈泥を吸引することに用いられる浚渫機構１と、
前記浚渫吸引ヘッド１１に接続され、前記浚渫吸引ヘッド１１を前記砕石基礎面０１まで昇降することに用いられる昇降機構２と、
前記昇降機構２に接続され、前記浚渫吸引ヘッド１１を前記砕石基礎面０１の浚渫範囲内で移動させることに用いられる移動機構３と、
前記浚渫機構１、前記昇降機構２と前記移動機構３の作業を制御することに用いられる制御機構とを含む。
【００４０】
本実施形態の１つの優れた解決手段として、各畝面吸引口１１１と各畝溝吸引口１１２は単独で開閉することができ、各畝溝吸引口１１２と対応する前記畝面吸引口１１１の間の距離は調整することができる。このような構成を採用することで、前記畝溝吸引口１１２と前記畝面吸引口１１１との間の距離を調節することができ、複数の畝面幅の砕石畝浚渫作業に適応する。各畝面吸引口１１１の両側にはそれぞれ１つの前記畝溝吸引口１１２が設けられている。このような構成を採用することにより、前記畝面吸引口１１１の両側の前記畝溝吸引口１１２は同時に１本の砕石畝両側の畝溝浚渫に対して、前記畝面吸引口１１１において次の砕石畝上の沈泥を除去する場合、そのうち１つの前記畝溝吸引口１１２はさらに１つ前の畝溝を再度吸引し、浚渫効果は非常に優れる。つまり各畝面吸引口１１１は２つの前記畝溝吸引口１１２に対応して設置され、２つの前記畝溝吸引口１１２は前記畝面吸引口１１１の両側に位置し、前記畝面吸引口１１１は砕石畝頂面に対応し、２つの畝溝吸引口１１２はそれぞれ各砕石畝両側の２本の畝溝に対応する。このような構成を採用することで、前記浚渫吸引ヘッド１１は砕石畝方向に沿って移動し、前後の吸引口のバルブ板を開閉することを制御することにより、吸引口が常に砕石畝の前方を向くように保持し、１回の移動で１本の砕石畝と両側の畝溝の沈泥を除去することができ、作業効率と品質を向上させることができる。前記浚渫構造１はさらに浚渫トラス１４を含み、前記浚渫吸引ヘッド１１は前記浚渫トラス１４の端部において接続され、前記浚渫トラス１４は前記昇降機構２に接続され、前記浚渫パイプライン１３は浚渫硬質パイプ１３１を含み、前記浚渫硬質パイプ１３１は前記浚渫トラス１４内部に位置し、前記浚渫硬質パイプ１３１の一端は水面の上に位置し、前記浚渫トラス１４は前記浚渫パイプライン１３を支持することに用いられ、前記浚渫トラス１４は三角トラスである。前記動力部材１２は前記浚渫トラス１４の端部に配置され、前記浚渫吸引ヘッド１１と同じ側にあり、前記浚渫吸引ヘッド１１は前記浚渫トラス１４の端部に伸縮可能に接続され、前記浚渫パイプライン１３はさらに浚渫軟質パイプ１３２を含み、前記浚渫吸引ヘッド１１は前記浚渫軟質パイプ１３２に接続され、前記浚渫軟質パイプ１３２は前記動力部材１２に接続され、前記動力部材１２は前記浚渫硬質パイプ１３１に接続されている。このような構成を採用することで、前記浚渫吸引ヘッド１１は前記浚渫トラス１４端部に相対的に伸縮し、勾配を有する前記砕石基礎面０１の浚渫に適用され、前記浚渫機構１全体が新たな制御精度を上げることを回避し、前記浚渫機構１が前記砕石基礎面０１に衝突することを回避する。
【００４１】
本実施形態の１つの好ましい解決手段として、さらに第１ウインチ４を含み、前記第１ウインチ４は泥排出軟質パイプ４１に接続され、前記泥排出軟質パイプ４１は前記浚渫硬質パイプ１３１に接続され、前記第１ウインチ４は回転して前記泥排出軟質パイプ４１を収納および放出し、前記浚渫硬質パイプ１３１が前記移動機構３の運動に従うことを満たし、沈泥を前記浚渫吸引ヘッド１１、前記浚渫パイプライン１３および前記泥排出軟質パイプ４１により前記第１ウインチ４まで排出する。前記第１ウインチ４の外には泥排出パイプラインが接続され、前記泥排出パイプラインは前記第１ウインチ４の沈泥を１キロメートル外の水域に排出する。前記昇降機構２は複数の歯車および各歯車に対応するラックを含み、各ラックは前記浚渫トラス１４に接続され、浚渫トラス１４のフレーム自身に沿って設置される。前記動力部材１２はオイルパイプ、第２ウインチ５および少なくとも１つの浚渫ポンプを含み、各浚渫ポンプは全て前記浚渫パイプライン１３に接続され、全ての前記浚渫ポンプは前記オイルパイプに接続され、前記オイルパイプは前記第２ウインチに５接続され、前記第２ウインチ５は回転して前記オイルパイプを収納および放出する。
【００４２】
本実施形態の１つの好ましい解決手段として、前記浚渫機構１はさらに噴水部材を含み、前記噴水部材の開口は前記浚渫吸引ヘッド１１に設けられている。このような構成を採用することにより、前記噴水部材は水流を噴射して前記浚渫吸引ヘッド１１付近の前記砕石基礎面０１上の沈泥を攪乱することに用いられ、浚渫効果を高める。前記移動機構３は第１横断部材３１および第２横断部材３２を含み、前記第１横断部材３１および前記第２横断部材３２は水平面内で直交に設置され、前記第２横断部材３２は前記第１横断部材３１上に配置され、つまり前記第２横断部材３２は前記第１横断部材３１上を移動し、前記昇降機構２は前記第２横断部材３２上に配置され、つまり前記昇降機構２は前記第２横断部材３２上を移動する。前記制御機構はＧＰＳ−ＲＴＫ、ソナー、傾斜測定器、自動追跡、電気−液体伝動制御装置を含み、電気で位置を制御する装置である。前記制御機構はさらに高度制御装置および泥ポンプ流量制御方法の装置を含み、ＧＰＳデータ、泥ポンプの運行データおよび水中画像形成装置データを集めることにより、さらに多くの制御情報について、測定部分を前記制御機構内に取り入れ、前記砕石基礎面０１の浚渫作業要求に適応することができる。
【００４３】
本発明の前記外海深部に先行敷設する砕石基礎面の浚渫システムを運用することで、前記浚渫吸引ヘッド１１は前記畝面吸引口１１１および前記畝溝吸引口１１２を含み、畝面吸引口１１１がＺ字型形に沿って移動する場合、当該畝溝吸引口１１２は互いに交差する２つの砕石畝が形成する砕石畝基礎面０１の経路の間の畝溝位置にあり、砕石畝頂面の沈泥と２本の砕石畝の間の畝溝にある沈泥を同時に吸引することができ、前記砕石基礎面０１の浚渫品質を保証し、作業効率を向上させる。当該外海深部に先行敷設する砕石基礎面の浚渫システムの構造は簡単であり、使用しやすく、浚渫効果に優れる。
【００４４】
＜実施形態２＞
図１−２が示すように、本発明の前記浚渫船は船体６を含み、前記船体６上には円形穴が設けられ、前記船体６上には実施形態１に示されるような外海深部に先行敷設する砕石基礎面の浚渫システムが設置され、前記浚渫吸引ヘッド１１は前記円形穴の範囲内で移動する。
【００４５】
本実施形態の１つの好ましい解決手段として、前記船体６上には上昇機構および捨石均し機構が設置され、前記上昇機構は作業区域において前記船体６全体を上昇させて水面から離脱させることに用いられ、水流の変動が当該浚渫船の作業に影響を及ぼすことを防止し、前記捨石均し機構は前記円形穴の範囲内で作業し、前記捨石均し機構は砕石基礎面０１を敷設することに用いられる。
【００４６】
本発明の前記浚渫船を運用することで、前記浚渫吸引ヘッド１１は前記畝面吸引口１１１および前記畝溝吸引口１１２を含み、砕石畝頂面の沈泥および２本の砕石畝の間の畝溝の沈泥を同時に吸引することができ、前記砕石基礎面０１の浚渫品質を保証し、作業効率を向上させる。当該浚渫船の構造は簡単であり、使用しやすく、浚渫効果に優れる。
【００４７】
上述した内容は、本発明の好ましい実施形態にすぎず、本発明を限定するものではない。本発明の精神及び原則の範囲内で行なわれた、いかなる修正、同等置換及び改良などのすべては、本発明の保護範囲内に含まれるべきである。
【符号の説明】
【００４８】
０１−砕石基礎面
１−浚渫機構
１１−浚渫吸引ヘッド
１１１−畝面吸引口
１１２−畝溝吸引口
１２−動力部材
１３−浚渫パイプライン
１３１−浚渫硬質パイプ
１３２−浚渫軟質パイプ
１４−浚渫トラス
２−昇降機構
３−移動機構
３１−第１横断部材
３２−第２横断部材
４−第１ウインチ
４１−泥排出軟質パイプ
５−第２ウインチ
６−船体  
【図１】
2019090303.tif 000003
【図２】
2019090303.tif 000004